(57)【要約】【課題】画像形成装置を利用するユーザーの作業効率を向上させる。【解決手段】ジョブ生成装置は、第１の印刷条件での印刷を可能にする一方で第２の印刷条件での印刷を不可能にする特定の装備が画像形成装置に装着されているか否かにかかわらず、第１および第２の印刷条件のいずれか一方が指定された印刷ジョブを画像形成装置に送信する。画像形成装置は、印刷ジョブに第１および第２の印刷条件のいずれが指定されているかを確認し（Ｓ２０２）、画像形成装置に特定の装備が装着されているか否かを判断し（Ｓ２０３，Ｓ２０６）、印刷ジョブに第１の印刷条件が指定されており、かつ、画像形成装置に特定の装備が装着されていない場合、または、印刷ジョブに第２の印刷条件が指定されており、かつ、画像形成装置に特定の装備が装着されている場合、印刷ジョブを実行することなく記憶部に記憶させる（Ｓ２０５，Ｓ２０７）。【選択図】図９
2015141468.tif 000002
【特許請求の範囲】
【請求項１】
印刷ジョブを生成するジョブ生成装置と、前記印刷ジョブを実行する画像形成装置とを有する印刷システムであって、
前記ジョブ生成装置は、
前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを前記画像形成装置に送信する送信部を有し、
前記画像形成装置は、
前記印刷ジョブを受信する受信部と、
前記受信部により受信された前記印刷ジョブに前記第１および第２の印刷条件のいずれが指定されているかを確認する確認部と、
前記画像形成装置に前記特定の装備が装着されているか否かを判断する判断部と、
前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるジョブ処理部と、を有することを特徴とする印刷システム。
【請求項２】
前記ジョブ生成装置は、
前記画像形成装置に前記特定の装備が装着されておらず、かつ、前記印刷ジョブに前記第１の印刷条件が指定された場合、または、前記画像形成装置に前記特定の装備が装着されており、かつ、前記印刷ジョブに前記第２の印刷条件が指定された場合、前記印刷ジョブが前記画像形成装置により実行されることなく前記記憶部に記憶される旨をユーザーに通知する通知部をさらに有することを特徴とする請求項１に記載の印刷システム。
【請求項３】
前記記憶部に記憶されているジョブの一覧を表示する表示部と、
前記特定の装備が前記画像形成装置に装着されているか否かに応じて、前記ジョブの一覧の表示状態を変更する表示制御部と、をさらに有することを特徴とする請求項１または２に記載の印刷システム。
【請求項４】
前記画像形成装置に前記特定の装備が装着された場合、前記表示制御部は、前記第１の印刷条件が指定され前記画像形成装置により実行されることなく前記記憶部に記憶された前記印刷ジョブの情報が、前記ジョブの一覧の上位に表示されるように、前記表示状態を変更することを特徴とする請求項３に記載の印刷システム。
【請求項５】
前記画像形成装置に前記特定の装備が装着された場合、前記表示制御部は、前記第１の印刷条件が指定され前記画像形成装置により実行されることなく前記記憶部に記憶された前記印刷ジョブの情報が、ハイライト表示されるように、前記表示状態を変更することを特徴とする請求項３または４に記載の印刷システム。
【請求項６】
前記ジョブの一覧には、前記ジョブの実行可否を示す情報と、前記ジョブの実行が不可能な場合における前記ジョブの実行が不可能である理由を示す情報とが、前記ジョブを識別するための情報と対応付けて表示されることを特徴とする請求項３〜５のいずれか１項に記載の印刷システム。
【請求項７】
前記ジョブの一覧から選択される１つ以上のジョブの実行を前記画像形成装置に指示する指示部をさらに有することを特徴とする請求項３〜６のいずれか１項に記載の印刷システム。
【請求項８】
印刷ジョブを生成するジョブ生成装置と、前記印刷ジョブを実行する画像形成装置とを有する印刷システムにおいて使用される前記ジョブ生成装置であって、
前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを前記画像形成装置に送信する送信部を有することを特徴とするジョブ生成装置。
【請求項９】
前記画像形成装置に前記特定の装備が装着されておらず、かつ、前記印刷ジョブに前記第１の印刷条件が指定された場合、または、前記画像形成装置に前記特定の装備が装着されており、かつ、前記印刷ジョブに前記第２の印刷条件が指定された場合、前記印刷ジョブが前記画像形成装置により実行されることなく前記画像形成装置の記憶部に記憶される旨をユーザーに通知する通知部をさらに有することを特徴とする請求項８に記載のジョブ生成装置。
【請求項１０】
前記画像形成装置の記憶部に記憶されているジョブの一覧を表示する表示部と、
前記特定の装備が前記画像形成装置に装着されているか否かに応じて、前記ジョブの一覧の表示状態を変更する表示制御部と、をさらに有することを特徴とする請求項８または９に記載のジョブ生成装置。
【請求項１１】
前記ジョブの一覧から選択される１つ以上のジョブの実行を前記画像形成装置に指示する指示部をさらに有することを特徴とする請求項１０に記載のジョブ生成装置。
【請求項１２】
印刷ジョブを生成するジョブ生成装置と、前記印刷ジョブを実行する画像形成装置とを有する印刷システムにおいて使用される前記画像形成装置であって、
印刷ジョブを受信する受信部と、
前記受信部により受信された前記印刷ジョブに第１および第２の印刷条件のいずれが指定されているかを確認する確認部と、
前記画像形成装置に装着されることにより前記第１の印刷条件での印刷を可能にする一方で前記第２の印刷条件での印刷を不可能にする特定の装備が、前記画像形成装置に装着されているか否かを判断する判断部と、
前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるジョブ処理部と、を有することを特徴とする画像形成装置。
【請求項１３】
前記記憶部に記憶されているジョブの一覧を表示する表示部と、
前記特定の装備が前記画像形成装置に装着されているか否かに応じて、前記ジョブの一覧の表示状態を変更する表示制御部と、をさらに有することを特徴とする請求項１２に記載の画像形成装置。
【請求項１４】
前記ジョブの一覧から選択される１つ以上のジョブの実行を前記画像形成装置に指示する指示部をさらに有することを特徴とする請求項１３に記載の画像形成装置。
【請求項１５】
印刷ジョブを生成するジョブ生成装置と、前記印刷ジョブを実行する画像形成装置とを有する印刷システムにおいて実行される印刷方法であって、
前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを生成するステップ（ａ）と、
前記ステップ（ａ）において生成された前記印刷ジョブに前記第１および第２の印刷条件のいずれが指定されているかを確認するステップ（ｂ）と、
前記画像形成装置に前記特定の装備が装着されているか否かを判断するステップ（ｃ）と、
前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるステップ（ｄ）と、を有することを特徴とする印刷方法。
【発明の詳細な説明】
【技術分野】
【０００１】
本発明は、印刷システム、ジョブ生成装置、画像形成装置、および印刷方法に関する。
【背景技術】
【０００２】
電子写真式プリンター等の画像形成装置により封筒への印刷を行う場合、通常の定着器に代えて、専用の封筒定着器を画像形成装置に装着する必要がある。画像形成装置に封筒定着器を装着した場合、画像形成装置により封筒以外の用紙への印刷を行うことはできなくなる。一方、画像形成装置に封筒定着器を装着しなければ、画像形成装置により封筒への印刷を行うことはできない。
【０００３】
特定の印刷条件での印刷を画像形成装置が行えない場合、通常、クライアントＰＣ（Ｐｅｒｓｏｎａｌ  Ｃｏｍｐｕｔｅｒ）に表示される印刷設定画面において、特定の印刷条件を指定するための設定項目がグレーアウト表示される（たとえば、特許文献１）。これにより、特定の印刷条件が指定された印刷ジョブが画像形成装置に送信されないようになっている。
【０００４】
したがって、画像形成装置に封筒定着器が装着されておらず、封筒への印刷を画像形成装置が行えない場合、印刷設定画面上の「用紙種類：封筒」がグレーアウト表示され、クライアントＰＣのユーザーは、「用紙種類：封筒」を指定した印刷ジョブを画像形成装置に送信することができない。このため、封筒への印刷を行う場合、ユーザーは、クライアントＰＣ上に印刷用のファイルを用意した後、まず、画像形成装置のある場所まで移動して画像形成装置に封筒定着器を装着し、次に、クライアントＰＣのある場所まで戻り、印刷設定画面上で「用紙種類：封筒」を指定して印刷ジョブを送信し、その後、画像形成装置のある場所まで再び移動して画像形成装置から封筒定着器を取り外す、という一連の手順を踏むことになる。
【０００５】
しかしながら、上記の一連の手順では、クライアントＰＣと画像形成装置との間をユーザーが繰り返し行き来することになる。このため、クライアントＰＣと画像形成装置の設置場所が遠く離れていれば、ユーザーの作業負担が増大してしまうという問題がある。さらに、クライアントＰＣと画像形成装置の設置場所が遠く離れていれば、画像形成装置に封筒定着器が装着されている時間が長くなり、封筒以外の用紙への印刷を画像形成装置が行えない時間も長くなってしまい、好ましくない。
【０００６】
加えて、画像形成装置に封筒定着器が装着されている間、ユーザーは、封筒以外の用紙を指定した印刷ジョブを画像形成装置に送信することができない。このため、封筒以外の用紙への印刷を行う場合、画像形成装置に封筒定着器が装着されていれば、ユーザーは、画像形成装置から封筒定着器が取り外されるまで、クライアントＰＣから印刷ジョブを送信するのを待たなければならならず、不便である。
【０００７】
したがって、封筒への印刷を可能にする一方で封筒以外の用紙への印刷を不可能にする封筒定着器が着脱される画像形成装置について、当該画像形成装置を利用するユーザーの作業効率を向上させることが望まれている。
【先行技術文献】
【特許文献】
【０００８】
【特許文献１】特開２０１０−０６６８１９号公報
【発明の概要】
【発明が解決しようとする課題】
【０００９】
本発明は、上述した課題に鑑みてなされたものである。したがって、本発明の目的は、第１の印刷条件での印刷を可能にする一方で第２の印刷条件での印刷を不可能にする特定の装備が着脱される画像形成装置について、当該画像形成装置を利用するユーザーの作業効率を向上させることができる印刷システム、ジョブ生成装置、画像形成装置、および印刷方法を提供することである。
【課題を解決するための手段】
【００１０】
本発明の上記目的は、下記の手段によって達成される。
【００１１】
（１）印刷ジョブを生成するジョブ生成装置と、前記印刷ジョブを実行する画像形成装置とを有する印刷システムであって、前記ジョブ生成装置は、前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを前記画像形成装置に送信する送信部を有し、前記画像形成装置は、前記印刷ジョブを受信する受信部と、前記受信部により受信された前記印刷ジョブに前記第１および第２の印刷条件のいずれが指定されているかを確認する確認部と、前記画像形成装置に前記特定の装備が装着されているか否かを判断する判断部と、前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるジョブ処理部と、を有することを特徴とする印刷システム。
【００１２】
（２）前記ジョブ生成装置は、前記画像形成装置に前記特定の装備が装着されておらず、かつ、前記印刷ジョブに前記第１の印刷条件が指定された場合、または、前記画像形成装置に前記特定の装備が装着されており、かつ、前記印刷ジョブに前記第２の印刷条件が指定された場合、前記印刷ジョブが前記画像形成装置により実行されることなく前記記憶部に記憶される旨をユーザーに通知する通知部をさらに有することを特徴とする上記（１）に記載の印刷システム。
【００１３】
（３）前記記憶部に記憶されているジョブの一覧を表示する表示部と、前記特定の装備が前記画像形成装置に装着されているか否かに応じて、前記ジョブの一覧の表示状態を変更する表示制御部と、をさらに有することを特徴とする上記（１）または（２）に記載の印刷システム。
【００１４】
（４）前記画像形成装置に前記特定の装備が装着された場合、前記表示制御部は、前記第１の印刷条件が指定され前記画像形成装置により実行されることなく前記記憶部に記憶された前記印刷ジョブの情報が、前記ジョブの一覧の上位に表示されるように、前記表示状態を変更することを特徴とする上記（３）に記載の印刷システム。
【００１５】
（５）前記画像形成装置に前記特定の装備が装着された場合、前記表示制御部は、前記第１の印刷条件が指定され前記画像形成装置により実行されることなく前記記憶部に記憶された前記印刷ジョブの情報が、ハイライト表示されるように、前記表示状態を変更することを特徴とする上記（３）または（４）に記載の印刷システム。
【００１６】
（６）前記ジョブの一覧には、前記ジョブの実行可否を示す情報と、前記ジョブの実行が不可能な場合における前記ジョブの実行が不可能である理由を示す情報とが、前記ジョブを識別するための情報と対応付けて表示されることを特徴とする上記（３）〜（５）のいずれか１つに記載の印刷システム。
【００１７】
（７）前記ジョブの一覧から選択される１つ以上のジョブの実行を前記画像形成装置に指示する指示部をさらに有することを特徴とする上記（３）〜（６）のいずれか１つに記載の印刷システム。
【００１８】
（８）印刷ジョブを生成するジョブ生成装置と、前記印刷ジョブを実行する画像形成装置とを有する印刷システムにおいて使用される前記ジョブ生成装置であって、前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを前記画像形成装置に送信する送信部を有することを特徴とするジョブ生成装置。
【００１９】
（９）前記画像形成装置に前記特定の装備が装着されておらず、かつ、前記印刷ジョブに前記第１の印刷条件が指定された場合、または、前記画像形成装置に前記特定の装備が装着されており、かつ、前記印刷ジョブに前記第２の印刷条件が指定された場合、前記印刷ジョブが前記画像形成装置により実行されることなく前記画像形成装置の記憶部に記憶される旨をユーザーに通知する通知部をさらに有することを特徴とする上記（８）に記載のジョブ生成装置。
【００２０】
（１０）前記画像形成装置の記憶部に記憶されているジョブの一覧を表示する表示部と、前記特定の装備が前記画像形成装置に装着されているか否かに応じて、前記ジョブの一覧の表示状態を変更する表示制御部と、をさらに有することを特徴とする上記（８）または（９）に記載のジョブ生成装置。
【００２１】
（１１）前記ジョブの一覧から選択される１つ以上のジョブの実行を前記画像形成装置に指示する指示部をさらに有することを特徴とする上記（１０）に記載のジョブ生成装置。
【００２２】
（１２）印刷ジョブを生成するジョブ生成装置と、前記印刷ジョブを実行する画像形成装置とを有する印刷システムにおいて使用される前記画像形成装置であって、印刷ジョブを受信する受信部と、前記受信部により受信された前記印刷ジョブに第１および第２の印刷条件のいずれが指定されているかを確認する確認部と、前記画像形成装置に装着されることにより前記第１の印刷条件での印刷を可能にする一方で前記第２の印刷条件での印刷を不可能にする特定の装備が、前記画像形成装置に装着されているか否かを判断する判断部と、前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるジョブ処理部と、を有することを特徴とする画像形成装置。
【００２３】
（１３）前記記憶部に記憶されているジョブの一覧を表示する表示部と、前記特定の装備が前記画像形成装置に装着されているか否かに応じて、前記ジョブの一覧の表示状態を変更する表示制御部と、をさらに有することを特徴とする上記（１２）に記載の画像形成装置。
【００２４】
（１４）前記ジョブの一覧から選択される１つ以上のジョブの実行を前記画像形成装置に指示する指示部をさらに有することを特徴とする上記（１３）に記載の画像形成装置。
【００２５】
（１５）印刷ジョブを生成するジョブ生成装置と、前記印刷ジョブを実行する画像形成装置とを有する印刷システムにおいて実行される印刷方法であって、前記画像形成装置に装着されることにより第１の印刷条件での印刷を可能にする一方で第２の印刷条件での印刷を不可能にする特定の装備について、当該特定の装備が前記画像形成装置に装着されているか否かにかかわらず、前記第１および第２の印刷条件のいずれか一方が指定された印刷ジョブを生成するステップ（ａ）と、前記ステップ（ａ）において生成された前記印刷ジョブに前記第１および第２の印刷条件のいずれが指定されているかを確認するステップ（ｂ）と、前記画像形成装置に前記特定の装備が装着されているか否かを判断するステップ（ｃ）と、前記印刷ジョブに前記第１の印刷条件が指定されており、かつ、前記画像形成装置に前記特定の装備が装着されていない場合、または、前記印刷ジョブに前記第２の印刷条件が指定されており、かつ、前記画像形成装置に前記特定の装備が装着されている場合、前記印刷ジョブを実行することなく記憶部に記憶させるステップ（ｄ）と、を有することを特徴とする印刷方法。
【発明の効果】
【００２６】
本発明によれば、特定の装備が画像形成装置に装着されていなくても、ユーザーは、第１の印刷条件を指定した印刷ジョブを画像形成装置に送信し、その後、画像形成装置に特定の装備を装着して、画像形成装置の記憶部に記憶された印刷ジョブを画像形成装置に実行させることが可能になる。したがって、第１の印刷条件での印刷を行う場合、ユーザーが、ジョブ生成装置と画像形成装置との間を繰り返し行き来する必要がなく、画像形成装置に特定の装備が装着されている時間も短くなり、ユーザーの作業効率が向上する。
【００２７】
また、本発明によれば、特定の装備が画像形成装置に装着されていても、ユーザーは、第２の印刷条件を指定した印刷ジョブを画像形成装置に送信し、画像形成装置から特定の装備が取り外された後、画像形成装置の記憶部に記憶された印刷ジョブを画像形成装置に実行させることが可能になる。したがって、第２の印刷条件での印刷を行う場合、画像形成装置に特定の装備が装着されていても、ユーザーが、画像形成装置から特定の装備が取り外されるまで、ジョブ生成装置から印刷ジョブを送信するのを待つ必要がなく、ユーザーの作業効率が向上する。
【図面の簡単な説明】
【００２８】
【図１】本発明の一実施形態に係る印刷システムの全体構成を示すブロック図である。
【図２】クライアントＰＣの概略構成を示すブロック図である。
【図３】クライアントＰＣのハードディスクの記憶内容を示す図である。
【図４】画像形成装置の概略構成を示すブロック図である。
【図５】ジョブ管理用ＰＣの概略構成を示すブロック図である。
【図６】ジョブ管理用ＰＣのハードディスクの記憶内容を示す図である。
【図７】クライアントＰＣにより実行されるジョブ送信処理の手順を示すフローチャートである。
【図８】印刷設定画面の一例を示す図である。
【図９】画像形成装置により実行されるジョブ受信処理の手順を示すフローチャートである。
【図１０】ジョブ管理画面の一例を示す図である。
【図１１】装置情報画面の一例を示す図である。
【図１２】画像形成装置に封筒定着器が装着されていない場合のジョブの一覧を示す図である。
【図１３】画像形成装置に封筒定着器が装着された場合のジョブの一覧を示す図である。
【発明を実施するための形態】
【００２９】
以下、図面を参照して、本発明の実施形態を詳細に説明する。
【００３０】
図１は、本発明の一実施形態に係る印刷システムの全体構成を示すブロック図である。
【００３１】
図１に示すとおり、印刷システムは、クライアントＰＣ１００、画像形成装置２００、およびジョブ管理用ＰＣ３００を備える。クライアントＰＣ１００、画像形成装置２００、およびジョブ管理用ＰＣ３００は、ネットワーク４００を介して相互に通信可能に接続されている。ジョブ管理用ＰＣ３００は、画像形成装置２００の近傍に設置されている。
【００３２】
ネットワーク４００は、イーサネット（登録商標）、ＦＤＤＩ（Ｆｉｂｅｒ  Ｄｉｓｔｒｉｂｕｔｅｄ  Ｄａｔａ  Ｉｎｔｅｒｆａｃｅ）、Ｗｉ−Ｆｉ（Ｗｉｒｅｌｅｓｓ  Ｆｉｄｅｌｉｔｙ）等の規格によりコンピューターやネットワーク機器同士を接続したＬＡＮ（Ｌｏｃａｌ  Ａｒｅａ  Ｎｅｔｗｏｒｋ）、あるいはＬＡＮ同士を専用線で接続したＷＡＮ（Ｗｉｄｅ  Ａｒｅａ  Ｎｅｔｗｏｒｋ）等からなる。なお、ネットワーク４００に接続される機器の種類および台数は、図１に示す例に限定されない。
【００３３】
図２は、クライアントＰＣ１００の概略構成を示すブロック図である。クライアントＰＣ１００は、ジョブ生成装置として、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスク１０４、ディスプレイ１０５、入力装置１０６、およびネットワークインターフェース１０７を含み、これらは信号をやり取りするためのバス１０８を介して相互に接続されている。
【００３４】
ＣＰＵ１０１は、プログラムにしたがって上記各部の制御や各種の演算処理を行う。ＲＯＭ１０２は、各種プログラムや各種データを格納する。ＲＡＭ１０３は、作業領域として一時的にプログラムやデータを記憶する。ハードディスク１０４は、オペレーティングシステム（ＯＳ）を含む各種プログラムや、各種データを格納する。
【００３５】
ディスプレイ１０５は、表示部として、各種の情報を表示する。ディスプレイ１０５は、たとえば、液晶ディスプレイである。入力装置１０６は、マウス等のポインティングデバイス、およびキーボードを含み、各種の入力を行うために使用される。
【００３６】
ネットワークインターフェース１０７は、ネットワーク４００を介し他の機器と通信するためのインターフェースであり、イーサネット（登録商標）、ＦＤＤＩ、Ｗｉ−Ｆｉ等の規格が用いられる。ネットワークインターフェース１０７は、送信部として、画像形成装置２００に印刷ジョブを送信する。
【００３７】
図３は、クライアントＰＣ１００のハードディスク１０４の記憶内容を示す図である。上述したとおり、ハードディスク１０４には、オペレーティングシステム（ＯＳ）１１０が格納されている。また、ハードディスク１０４には、文書ファイルを作成するための文書ファイル作成アプリケーション１２０、文書ファイルを画像形成装置２００が解釈可能なページ記述言語（ＰＤＬ）で記述された印刷データに変換するためのプリンタードライバー１３０、および画像形成装置２００に記憶されているジョブの実行を指示するためのジョブ管理アプリケーション１４０がインストールされている。
【００３８】
ＣＰＵ１０１は、ハードディスク１０４に記憶されているプログラムを実行することにより、通知部、表示制御部、および指示部として機能する。ここで、通知部は、画像形成装置２００が印刷ジョブを実行することなく記憶する場合、その旨をユーザーに通知する。表示制御部は、ディスプレイ１０５に表示されるジョブの一覧の表示状態を変更する。指示部は、ジョブの一覧から選択される１つ以上のジョブの実行を画像形成装置２００に指示する。なお、各部の具体的な処理内容については後述する。
【００３９】
図４は、画像形成装置２００の概略構成を示すブロック図である。画像形成装置２００は、ＣＰＵ２０１、ＲＯＭ２０２、ＲＡＭ２０３、ハードディスク２０４、操作パネル２０５、画像読取部２０６、給紙部２０７、画像形成部２０８、定着部２０９、およびネットワークインターフェース２１０を含み、これらは信号をやり取りするためのバス２１１を介して相互に接続されている。なお、画像形成装置２００の上記各部のうち、クライアントＰＣ１００の上記各部と同様の機能を有する部分については、その説明を省略する。
【００４０】
操作パネル２０５は、タッチパネル、テンキー、スタートボタン、ストップボタン等を備えており、各種情報の表示および各種指示の入力に使用される。
【００４１】
画像読取部２０６は、所定の読み取り位置にセットされた原稿またはＡＤＦ（Ａｕｔｏ  Ｄｏｃｕｍｅｎｔ  Ｆｅｅｄｅｒ）により所定の読み取り位置に搬送された原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサー等の撮像装置により光電変換して、その電気信号から画像データを生成する。
【００４２】
給紙部２０７は、印刷に使用する用紙を収容する。給紙部２０７は、複数の給紙トレイを有しており、収容された用紙を１枚ずつ画像形成部２０８に送り出す。画像形成部２０８は、電子写真式プロセス等の周知の作像プロセスを用いて、画像データに基づくトナー画像を用紙上に転写する。
【００４３】
定着部２０９は、用紙上に転写されたトナー画像を定着ローラーにより加熱および加圧して定着させる。本実施形態の定着部２０９には、通常の定着器に代えて、封筒へのトナー画像の定着を行うための封筒定着器が装着され得る。封筒定着器が定着部２０９に装着される場合、画像形成装置２００は、「用紙種類：封筒」が指定された印刷ジョブのみ実行可能であり、封筒以外の用紙（たとえば、「用紙種類：普通紙」）が指定された印刷ジョブを実行することはできない。一方、封筒定着器が定着部２０９に装着されていない場合（つまり、通常の定着器が定着部２０９に装着されたままの場合）、画像形成装置２００は、封筒以外の用紙が指定された印刷ジョブのみ実行可能であり、「用紙種類：封筒」が指定された印刷ジョブを実行することはできない。
【００４４】
なお、ネットワークインターフェース２１０は、受信部として、印刷ジョブを受信する。また、ハードディスク２０４は、記憶部として、印刷ジョブを記憶する。
【００４５】
ＣＰＵ２０１は、ハードディスク２０４に記憶されているプログラムを実行することにより、確認部、判断部、およびジョブ処理部として機能する。ここで、確認部は、印刷ジョブに「用紙種類：封筒」および「用紙種類：封筒以外」のいずれが指定されているかを確認する。判断部は、画像形成装置２００に封筒定着器が装着されているか否かを判断する。ジョブ処理部は、印刷ジョブを実行することなく、ハードディスク２０４に強制的に記憶させる。なお、各部の具体的な処理内容については後述する。
【００４６】
図５は、ジョブ管理用ＰＣ３００の概略構成を示すブロック図である。ジョブ管理用ＰＣ３００は、ＣＰＵ３０１、ＲＯＭ３０２、ＲＡＭ３０３、ハードディスク３０４、ディスプレイ３０５、入力装置３０６、およびネットワークインターフェース３０７を含み、これらは信号をやり取りするためのバス３０８を介して相互に接続されている。なお、ジョブ管理用ＰＣ３００の上記各部は、クライアントＰＣ１００の上記各部と同様であるため、その説明を省略する。また、ディスプレイ３０５は、表示部として、画像形成装置２００に記憶されているジョブの一覧を表示する。
【００４７】
図６は、ジョブ管理用ＰＣ３００のハードディスク３０４の記憶内容を示す図である。ハードディスク３０４には、オペレーティングシステム（ＯＳ）３１０が格納されている。また、ハードディスク３０４には、画像形成装置２００に記憶されているジョブの実行を指示するためのジョブ管理アプリケーション３２０がインストールされている。
【００４８】
ＣＰＵ３０１は、ハードディスク３０４に記憶されているプログラムを実行することにより、表示制御部および指示部として機能する。ここで、表示制御部は、ディスプレイ３０５に表示されるジョブの一覧の表示状態を変更する。指示部は、ジョブの一覧から選択される１つ以上のジョブの実行を画像形成装置２００に指示する。なお、各部の具体的な処理内容については後述する。
【００４９】
クライアントＰＣ１００、画像形成装置２００、およびジョブ管理用ＰＣ３００は、上記構成要素以外の構成要素を含んでいてもよく、あるいは、上記構成要素のうちの一部が含まれていなくてもよい。
【００５０】
以上のとおり構成される印刷システムでは、たとえば、画像形成装置２００に封筒定着器が装着されておらず、封筒への印刷を画像形成装置２００が行えない場合であっても、「用紙種類：封筒」が指定された印刷ジョブが、クライアントＰＣ１００から画像形成装置２００に送信され、画像形成装置２００に記憶される。以下、図７〜図１３を参照して、印刷システムの動作について説明する。
【００５１】
図７は、クライアントＰＣ１００により実行されるジョブ送信処理の手順を示すフローチャートである。なお、図７のフローチャートにより示されるアルゴリズムは、クライアントＰＣ１００のハードディスク１０４にプログラムとして記憶されており、ＣＰＵ１０１によって実行される。
【００５２】
まず、クライアントＰＣ１００は、プリンタードライバー１３０を起動する（ステップＳ１０１）。たとえば、クライアントＰＣ１００のユーザーにより、文書ファイル作成アプリケーション１２０上で文書ファイルの印刷が選択された場合、クライアントＰＣ１００は、プリンタードライバー１３０を起動する。
【００５３】
次に、クライアントＰＣ１００は、画像形成装置２００から装置情報を取得する（ステップＳ１０２）。より具体的には、クライアントＰＣ１００は、ステップＳ１０１に示す処理で起動したプリンタードライバー１３０の機能により、画像形成装置２００と通信して、画像形成装置２００から装置情報を取得する。装置情報には、画像形成装置２００に装着されている装備（後処理装置、封筒定着器等）に関する情報が含まれる。
【００５４】
次に、クライアントＰＣ１００は、印刷設定画面５００（図８参照）を表示する（ステップＳ１０３）。より具体的には、クライアントＰＣ１００は、ステップＳ１０２に示す処理で取得した装置情報に基づいて、印刷設定項目の一部をグレーアウトした印刷設定画面５００をディスプレイ１０５に表示する。
【００５５】
図８は、クライアントＰＣ１００のディスプレイ１０５に表示される印刷設定画面５００の一例を示す図である。印刷設定画面５００には、印刷条件を特定するための複数の印刷設定項目が設けられている。
【００５６】
たとえば、画像形成装置２００に後処理装置が装着されておらず、画像形成装置２００が後処理を行えない場合、図８に示すとおり、印刷設定画面５００では、複数の印刷設定項目のうち、「ステープル」、「パンチ」、および「折り」がグレーアウト表示される。したがって、ユーザーは、ステープル処理、パンチ処理、および折り処理等の印刷条件を印刷ジョブに指定することができない。
【００５７】
一方、上述したとおり、画像形成装置２００に封筒定着器が装着されていなければ封筒への印刷を行えず、画像形成装置２００に封筒定着器が装着されていれば封筒以外の用紙への印刷を行えないにもかかわらず、図８に示すとおり、印刷設定画面５００では、「用紙種類：封筒」と「用紙種類：封筒以外（普通紙、特殊紙、…）」のいずれもグレーアウト表示されない。したがって、画像形成装置２００に封筒定着器が装着されていなくても、ユーザーは、「用紙種類：封筒」を印刷ジョブに指定することができ、画像形成装置２００に封筒定着器が装着されていても、封筒以外の用紙を印刷ジョブに指定することができる。つまり、画像形成装置２００に封筒定着器が装着されているか否かにかかわらず、ユーザーは、任意の用紙種類を印刷ジョブに指定することができる。
【００５８】
ステップＳ１０３に示す処理において印刷設定画面５００を表示した後、クライアントＰＣ１００は、印刷条件の入力を受け付ける（ステップＳ１０４）。より具体的には、クライアントＰＣ１００は、ステップＳ１０３に示す処理で表示した印刷設定画面５００を通じて、ユーザーによる印刷条件（印刷部数、用紙種類等）の入力を受け付ける。
【００５９】
次に、クライアントＰＣ１００は、印刷指示を受け付ける（ステップＳ１０５）。より具体的には、クライアントＰＣ１００は、ステップＳ１０４に示す処理で入力が受け付けられた印刷条件での印刷の指示を受け付ける。
【００６０】
次に、クライアントＰＣ１００は、用紙種類が適切であるか否かを判断する（ステップＳ１０６）。より具体的には、クライアントＰＣ１００は、ステップＳ１０２に示す処理で取得した装置情報により特定される画像形成装置２００の定着器に対して、印刷ジョブで指定された用紙種類が適切であるか否かを判断する。本実施形態では、画像形成装置２００に封筒定着器が装着されており、かつ、「用紙種類：封筒」が印刷ジョブに指定されている場合、または、画像形成装置２００に封筒定着器が装着されておらず、かつ、封筒以外の用紙が印刷ジョブに指定されている場合、クライアントＰＣ１００は、用紙種類が適切であると判断する。一方、画像形成装置２００に封筒定着器が装着されておらず、かつ、「用紙種類：封筒」が印刷ジョブに指定されている場合、または、画像形成装置２００に封筒定着器が装着されており、かつ、封筒以外の用紙が印刷ジョブに指定されている場合、クライアントＰＣ１００は、用紙種類が適切でないと判断する。
【００６１】
用紙種類が適切であると判断する場合（ステップＳ１０６：ＹＥＳ）、クライアントＰＣ１００は、印刷ジョブを送信し（ステップＳ１０７）、処理を終了する。より具体的には、クライアントＰＣ１００は、ステップＳ１０６に示す処理で用紙種類が適切であると判断した印刷ジョブを画像形成装置２００に送信する。
【００６２】
一方、用紙種類が適切でないと判断する場合（ステップＳ１０６：ＮＯ）、クライアントＰＣ１００は、画像形成装置２００に印刷ジョブを送信する（ステップＳ１０８）。より具体的には、クライアントＰＣ１００は、ステップＳ１０６に示す処理で用紙種類が適切でないと判断した印刷ジョブを画像形成装置２００に送信する。
【００６３】
そして、クライアントＰＣ１００は、印刷ジョブが実行されることなく記憶される旨をユーザーに通知し（ステップＳ１０９）、処理を終了する。より具体的には、クライアントＰＣ１００は、ステップＳ１０８に示す処理で送信した印刷ジョブが画像形成装置２００により実行されることなく画像形成装置２００に記憶される旨をディスプレイ１０５に表示する。これにより、ユーザーは、印刷ジョブに指定した用紙種類が適切でなく、画像形成装置２００により印刷ジョブが実行されないことを認識することができる。
【００６４】
以上のとおり、図７に示されるフローチャートの処理によれば、画像形成装置２００に封筒定着器が装着されておらず、封筒への印刷を画像形成装置２００が行えない場合であっても、「用紙種類：封筒」が指定された印刷ジョブがクライアントＰＣ１００から画像形成装置２００に送信される。一方、画像形成装置２００に封筒定着器が装着されており、封筒以外の用紙への印刷を画像形成装置２００が行えない場合であっても、封筒以外の用紙が指定された印刷ジョブがクライアントＰＣ１００から画像形成装置２００に送信される。つまり、画像形成装置２００に封筒定着器が装着されているか否かにかかわらず、クライアントＰＣ１００は、「用紙種類：封筒」および「用紙種類：封筒以外」のいずれか一方が指定された印刷ジョブを画像形成装置２００に送信することができる。
【００６５】
次に、図９を参照して、クライアントＰＣ１００から送信された印刷ジョブを受信する画像形成装置２００の動作について説明する。
【００６６】
図９は、画像形成装置２００により実行されるジョブ受信処理の手順を示すフローチャートである。なお、図９のフローチャートにより示されるアルゴリズムは、画像形成装置２００のハードディスク２０４にプログラムとして記憶されており、ＣＰＵ２０１によって実行される。
【００６７】
まず、画像形成装置２００は、印刷ジョブを受信する（ステップＳ２０１）。より具体的には、画像形成装置２００は、クライアントＰＣ１００から送信された印刷ジョブを受信する。
【００６８】
次に、画像形成装置２００は、用紙種類が「封筒」であるか否かを判断する（ステップＳ２０２）。より具体的には、画像形成装置２００は、ステップＳ２０１に示す処理で受信した印刷ジョブに、「用紙種類：封筒」が指定されているか否かを判断する。
【００６９】
用紙種類が「封筒」でないと判断する場合（ステップＳ２０２：ＮＯ）、画像形成装置２００は、ステップＳ２０６の処理に移る。
【００７０】
一方、用紙種類が「封筒」であると判断する場合（ステップＳ２０２：ＹＥＳ）、画像形成装置２００は、画像形成装置２００に封筒定着器が装着されているか否かを判断する（ステップＳ２０３）。より具体的には、画像形成装置２００は、自己の装置情報を参照して、画像形成装置２００に封筒定着器が装着されているか否かを判断する。
【００７１】
画像形成装置２００に封筒定着器が装着されていると判断する場合（ステップＳ２０３：ＹＥＳ）、画像形成装置２００は、印刷ジョブを実行し（ステップＳ２０４）、処理を終了する。より具体的には、画像形成装置２００は、「用紙種類：封筒」が指定された印刷ジョブを実行して、封筒への印刷を行う。
【００７２】
一方、画像形成装置２００に封筒定着器が装着されていないと判断する場合（ステップＳ２０３：ＮＯ）、画像形成装置２００は、印刷ジョブを記憶し（ステップＳ２０５）、処理を終了する。より具体的には、封筒定着器が装着されていない画像形成装置２００により、「用紙種類：封筒」が指定された印刷ジョブの実行は不可能であるとして、画像形成装置２００は、印刷ジョブを実行することなく、ハードディスク２０４に記憶する。
【００７３】
以上のとおり、図９のステップＳ２０１〜Ｓ２０５に示す処理によれば、印刷ジョブに「用紙種類：封筒」が指定されていることが確認され、画像形成装置２００に封筒定着器が装着されているか否かが判断される。そして、画像形成装置２００に封筒定着器が装着されていると判断された場合、画像形成装置２００により印刷ジョブが実行される。一方、画像形成装置２００に封筒定着器が装着されていないと判断された場合、画像形成装置２００のハードディスク２０４に印刷ジョブが記憶される。
【００７４】
一方、ステップＳ２０２に示す処理において用紙種類が「封筒」でないと判断する場合（ステップＳ２０２：ＮＯ）、画像形成装置２００は、画像形成装置２００に封筒定着器が装着されているか否かを判断する（ステップＳ２０６）。より具体的には、画像形成装置２００は、自己の装置情報を参照して、画像形成装置２００に封筒定着器が装着されているか否かを判断する。
【００７５】
画像形成装置２００に封筒定着器が装着されていると判断する場合（ステップＳ２０６：ＹＥＳ）、画像形成装置２００は、印刷ジョブを記憶し（ステップＳ２０７）、処理を終了する。より具体的には、封筒定着器が装着されている画像形成装置２００により、封筒以外の用紙が指定された印刷ジョブの実行は不可能であるとして、画像形成装置２００は、印刷ジョブを実行することなく、ハードディスク２０４に記憶する。
【００７６】
一方、画像形成装置２００に封筒定着器が装着されていないと判断する場合（ステップＳ２０６：ＮＯ）、画像形成装置２００は、印刷ジョブを実行し（ステップＳ２０８）、処理を終了する。より具体的には、画像形成装置２００は、封筒以外の用紙が指定された印刷ジョブを実行して、封筒以外の用紙への印刷を行う。
【００７７】
以上のとおり、図９のステップＳ２０６〜Ｓ２０８に示す処理によれば、印刷ジョブに封筒以外の用紙が指定されていることが確認され、画像形成装置２００に封筒定着器が装着されているか否かが判断される。そして、画像形成装置２００に封筒定着器が装着されていると判断された場合、画像形成装置２００のハードディスク２０４に印刷ジョブが記憶される。一方、画像形成装置２００に封筒定着器が装着されていないと判断された場合、画像形成装置２００により印刷ジョブが実行される。
【００７８】
以上のとおり、本実施形態の印刷システムによれば、画像形成装置２００に封筒定着器が装着されておらず、封筒への印刷を画像形成装置２００が行えない場合であっても、「用紙種類：封筒」が指定された印刷ジョブが、クライアントＰＣ１００から画像形成装置２００に送信され、画像形成装置２００に記憶される。一方、画像形成装置２００に封筒定着器が装着されており、封筒以外の用紙への印刷を画像形成装置２００が行えない場合であっても、封筒以外の用紙が指定された印刷ジョブが、クライアントＰＣ１００から画像形成装置２００に送信され、画像形成装置２００に記憶される。
【００７９】
このため、封筒への印刷を行う場合、画像形成装置２００に封筒定着器が装着されていなくても、ユーザーは、「用紙種類：封筒」を指定した印刷ジョブを画像形成装置２００に送信し、画像形成装置２００に封筒定着器を装着した後、ジョブ管理用ＰＣ３００を利用して、画像形成装置２００に記憶された印刷ジョブを画像形成装置２００に実行させることができる。
【００８０】
したがって、封筒への印刷を行う場合、ユーザーが、クライアントＰＣ１００と画像形成装置２００との間を繰り返し行き来する必要がなく、ユーザーの作業負担が軽減される。また、画像形成装置２００に封筒定着器が装着されている時間が短くなり、封筒以外の用紙への印刷を画像形成装置２００が行えない時間も短くなる。
【００８１】
さらに、封筒以外の用紙への印刷を行う場合、画像形成装置２００に封筒定着器が装着されていても、ユーザーは、封筒以外の用紙を指定した印刷ジョブを画像形成装置２００に送信し、画像形成装置２００から封筒定着器が取り外された後、ジョブ管理用ＰＣ３００を利用して、画像形成装置２００に記憶された印刷ジョブを画像形成装置２００に実行させることができる。
【００８２】
したがって、封筒以外の用紙への印刷を行う場合、画像形成装置２００に封筒定着器が装着されていても、ユーザーが、画像形成装置２００から封筒定着器が取り外されるまで、印刷ジョブを送信するのを待つ必要がなくなる。
【００８３】
以上のとおり、本実施形態の印刷システムによれば、封筒定着器が着脱される画像形成装置２００を利用するユーザーの作業効率が向上する。
【００８４】
以下、図１０〜図１３を参照して、画像形成装置２００に記憶された印刷ジョブの実行を指示するジョブ管理用ＰＣ３００の動作について説明する。
【００８５】
図１０は、ジョブ管理用ＰＣ３００のディスプレイ３０５に表示されるジョブ管理画面６００の一例を示す図である。ジョブ管理画面６００は、ジョブ管理アプリケーション３２０により提供される。
【００８６】
図１０に示すとおり、ジョブ管理画面６００は、装置情報表示部６１０およびジョブ一覧表示部６２０を有する。また、ジョブ管理画面６００には、「装置情報」ボタン６３０が設けられている。
【００８７】
装置情報表示部６１０は、画像形成装置２００の装置情報を表示する。装置情報には、画像形成装置２００の機種名情報や消耗品の状態情報が含まれる。ジョブ管理画面６００の「装置情報」ボタン６３０が押下されれば、装置情報画面７００（図１１参照）が表示される。装置情報画面７００には、画像形成装置２００のより詳細な装置情報（各種装備に関する情報等）が表示されている。
【００８８】
ジョブ一覧表示部６２０は、画像形成装置２００に記憶されているジョブの一覧を表示する。本実施形態のジョブ一覧表示部６２０では、画像形成装置２００に封筒定着器が装着されているか否かに応じて、ジョブの一覧の表示状態が変更される。ユーザーは、ジョブ一覧表示部６２０に表示されるジョブの一覧から１つ以上のジョブを選択し、選択したジョブを編集したり、削除したりすることができる。また、ユーザーは、ジョブの一覧から１つ以上のジョブを選択し、選択したジョブを画像形成装置２００に実行させることができる。
【００８９】
以下、図１２および図１３を参照して、ジョブ一覧表示部６２０に表示されるジョブの一覧について説明する。上述したとおり、本実施形態では、画像形成装置２００に封筒定着器が装着されているか否かに応じて、ジョブの一覧の表示状態が変更される。
【００９０】
図１２は、画像形成装置２００に封筒定着器が装着されていない場合のジョブの一覧を示す図である。ジョブの一覧には、画像形成装置２００のハードディスク２０４に記憶されているジョブの情報が表示される。ジョブの情報には、ジョブ種別情報６４１、ユーザー名情報６４２、ファイル名情報６４３、ページ数情報６４４、部数情報６４５、登録日時情報６４６、更新日時情報６４７、印刷終了日時情報６４８、印刷可否情報６４９、および印刷不可理由情報６５０が含まれる。
【００９１】
ジョブ種別情報６４１は、ジョブの種別を示す情報であり、ユーザー名情報６４２は、ジョブの実行を指示したユーザーを示す情報である。ファイル名情報６４３は、印刷元の文書ファイルを示す情報であり、ページ数情報６４４は、ジョブのページ数を示す情報である。部数情報６４５は、ジョブの印刷部数を示す情報であり、登録日時情報６４６は、ジョブの登録日時を示す情報である。更新日時情報６４７は、ジョブの更新日時を示す情報であり、印刷終了日時情報６４８は、ジョブの印刷終了日時を示す情報である。また、印刷可否情報６４９は、ジョブの実行可否を示す情報であり、印刷不可理由情報６５０は、ジョブが実行不可能な場合にその理由を示す情報である。
【００９２】
図１２において、ファイル名：「挨拶状＿○社宛て」により特定される４つの印刷ジョブは、「用紙種類：封筒」が指定されているために、画像形成装置２００により実行されることなく画像形成装置２００に強制的に記憶された印刷ジョブである。これらの４つの印刷ジョブの情報には、印刷終了日時：「未印刷」、印刷可否：「不可」、および印刷不可理由：「封筒ジョブ」が対応付けられており、かつ、ジョブの情報がグレー表示されている。
【００９３】
なお、図１２において、ファイル名：「重要書類」により特定される２つの印刷ジョブは、ユーザーの指示により画像形成装置２００に記憶された印刷ジョブである。
【００９４】
図１３は、画像形成装置２００に封筒定着器が装着された場合のジョブの一覧を示す図である。
【００９５】
画像形成装置２００に封筒定着器が装着された場合、ファイル名：「挨拶状＿○社宛て」により特定される４つの印刷ジョブのみが実行可能となる。このため、図１３では、これらの４つの印刷ジョブの情報が、ハイライト表示され、かつ、ジョブの一覧の上位に移動されて表示される。
【００９６】
一方、残りのジョブの情報には、印刷可否：「不可」および印刷不可理由：「封筒以外ジョブ」が対応付けられており、かつ、ジョブの情報がグレー表示されている。
【００９７】
このような構成によれば、実行可能となった印刷ジョブがハイライト表示されるため、ユーザーは、「用紙種類：封筒」が指定された印刷ジョブが画像形成装置２００により実行可能になったことを認識することができる。さらに、「用紙種類：封筒」が指定された印刷ジョブがジョブの一覧の上位に移動されるため、ユーザーは、これらの印刷ジョブを容易に見つけることが可能になる。
【００９８】
以上のとおり、本実施形態のジョブ管理画面６００によれば、画像形成装置２００に封筒定着器が装着されているか否かに応じて、ジョブの一覧の表示状態が変更されるため、ジョブ管理画面６００の操作性が向上する。
【００９９】
なお、ジョブ管理画面６００は、クライアントＰＣ１００に格納されているジョブ管理アプリケーション１４０により、クライアントＰＣ１００のディスプレイ１０５にも表示される。クライアントＰＣ１００のユーザーは、クライアントＰＣ１００のディスプレイ１０５に表示されるジョブ管理画面６００を利用して、ジョブの実行を画像形成装置２００に指示することもできる。
【０１００】
本発明は、上述した実施形態のみに限定されるものではなく、特許請求の範囲内において、種々改変することができる。
【０１０１】
たとえば、上述した実施形態では、用紙種類が適切でない印刷ジョブがクライアントＰＣから画像形成装置に送信されるとき、印刷ジョブが実行されることなく画像形成装置に記憶される旨がクライアントＰＣのユーザーに通知された。しかしながら、印刷ジョブが実行されることなく画像形成装置に記憶される旨は、たとえば、ユーザーが印刷設定画面上で「用紙種類：封筒」を選択するときにユーザーに通知されてもよい。
【０１０２】
また、上述した実施形態では、画像形成装置により印刷ジョブが実行される場合、画像形成装置のハードディスクに印刷ジョブが記憶されることなく印刷が行われた。しかしながら、印刷ジョブが実行される場合、画像形成装置のハードディスクに印刷ジョブが自動的に記憶されてもよい。
【０１０３】
また、上述した実施形態では、ジョブ管理アプリケーションは、クライアントＰＣおよびジョブ管理用ＰＣにインストールされた。しかしながら、ジョブ管理アプリケーションは、画像形成装置にインストールされてもよく、画像形成装置の操作パネルを通じて、ジョブの実行が指示されてもよい。この場合、画像形成装置の操作パネルが、ジョブの一覧を表示する表示部として機能する。そして、画像形成装置のＣＰＵが、ジョブの一覧の表示状態を変更する表示制御部、および、ジョブの一覧の中から選択される１つ以上のジョブの実行を指示する指示部として機能する。
【０１０４】
また、上述した実施形態では、本発明が適用される画像形成装置の装備（オプション）として、画像形成装置に装着されることにより封筒への印刷を可能にする一方で封筒以外の用紙への印刷を不可能にする封筒定着器を例に挙げて説明した。しかしながら、本発明が適用される画像形成装置の装備は、封筒定着器に限定されるものではない。本発明は、画像形成装置に装着されることによりスポットカラー印刷を可能にする一方でＣＭＹＫの４色のカラー印刷を不可能にするスポットカラー用のカートリッジにも適用され得る。
【０１０５】
上述した実施形態に係る印刷システムにおける各種処理を行う手段および方法は、専用のハードウエア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、印刷システムの一機能としてその装置のソフトウエアに組み込まれてもよい。
【符号の説明】
【０１０６】
１００  クライアントＰＣ、
１０１，２０１，３０１  ＣＰＵ、
１０２，２０２，３０２  ＲＯＭ、
１０３，２０３，３０３  ＲＡＭ、
１０４，２０４，３０４  ハードディスク、
１０５，３０５  ディスプレイ、
１０６，３０６  入力装置、
１０７，２１０，３０７  ネットワークインターフェース、
１０８，２１１，３０８  バス、
２００  画像形成装置、
２０５  操作パネル、
２０６  画像読取部、
２０７  給紙部、
２０８  画像形成部、
２０９  定着部、
３００  ジョブ管理用ＰＣ、
４００  ネットワーク、
５００  印刷設定画面、
６００  ジョブ管理画面、
７００  装置情報画面。
【図１】
2015141468.tif 000003
【図２】
2015141468.tif 000004
【図３】
2015141468.tif 000005
【図４】
2015141468.tif 000006
【図５】
2015141468.tif 000007
【図６】
2015141468.tif 000008
【図７】
2015141468.tif 000009
【図８】
2015141468.tif 000010
【図９】
2015141468.tif 000011
【図１０】
2015141468.tif 000012
【図１１】
2015141468.tif 000013
【図１２】
2015141468.tif 000014
【図１３】
2015141468.tif 000015